(57)【要約】【課題】  水冷コンデンサの設置スペースを小型化でき、エンジンルームの限られた容積の中でのレイアウト性が向上する複合型熱交換器を提供する。【解決手段】本発明に係る複合型熱交換器１は、水冷用冷却水を冷却するサブラジエータ２０と、空調用冷媒を冷却する空冷コンデンサ３０と、サブラジエータ２０で冷却された水冷用冷却水と空冷コンデンサ３０で冷却される前の空調用冷媒とを熱交換する水冷コンデンサ４０とを備える。水冷コンデンサ４０は、サブラジエータ２０の流出側タンク２３と連通して水冷用冷却水が通過する管体４１によって形成される。管体４１は、空冷コンデンサ３０の流入出用タンク３２における上側分岐部屋３２１内に設けられる。【選択図】図１
2014126315.tif 000002
【特許請求の範囲】
【請求項１】
第１冷媒が通過する第１チューブ(21)と、前記第１チューブ(21)の端部に連結された第１流入側タンク(22)及び第１流出側タンク(23)とを有し、前記第１冷媒を冷却する第１熱交換器(20)と、
第２冷媒が通過する第２チューブ(31)と、前記第２チューブ(31)の端部に連結された第２流入側タンク(32)及び第２流出側タンク(33)とを有し、前記第２冷媒を冷却する第２熱交換機(30)と、
前記第１熱交換器(20)で冷却された前記第１冷媒と、前記第２熱交換機(30)で冷却される前の前記第２冷媒とを熱交換する第３熱交換器(40)と
を備えた複合型熱交換器(1)であって、
前記第３熱交換器(40)は、前記第１流出側タンク(23)と連通して前記第１冷媒が通過する管体(41)によって形成され、
前記管体(41)は、前記第２流入側タンク(32)内に設けられることを特徴とする複合型熱交換器(1)。
【請求項２】
請求項１に記載の複合型熱交換器(1)であって、
前記管体(41)は、前記第１冷媒が流入する冷媒流入部(41A)と、前記第１冷媒を流出する冷媒流出部(41B)と、前記冷媒流入部(41A)と前記冷媒流出部(41B)との間で折り返される折り返し部(41C)とを備え、
前記冷媒流入部(41A)及び前記冷媒流出部(41B)は、前記第２チューブ(31)の積層方向の端部に設けられることを特徴とする複合型熱交換器(1)。
【請求項３】
請求項１又は請求項２に記載の複合型熱交換器(1)であって、
前記第２流入側タンク(32)は、前記第２冷媒が流入する第１通過室(321in)と前記第２冷媒が流出する第２通過室(321out)とを仕切るように構成され、且つ前記第１通過室(321in)と前記第２通過室(321out)とを連通する連通口(325A)が形成された仕切壁(325)を備え、
前記管体(41)は、前記第１通過室(321in)に配置されることを特徴とする複合型熱交換器。
【請求項４】
請求項３に記載の複合型熱交換器(1)であって、
前記第１通過室(321in)には、前記第２冷媒が流入する流入部(321A)が設けられ、
前記流入部(321A)は、前記第１通過室(321in)の一方の端部に設けられ、
前記連通口(325A)は、前記第１通過室(321in)の他方の端部に設けられることを特徴とする複合型熱交換器(1)。
【発明の詳細な説明】
【技術分野】
【０００１】
本発明は、自動車に搭載される複合型熱交換器に関する。
【背景技術】
【０００２】
従来から、自動車の複合型熱交換器で使用される水冷コンデンサとしては、サブラジエータで熱交換された水冷用冷却水を利用して、空冷コンデンサで熱交換する前の空調用冷媒を冷却するものが知られている。この種の水冷コンデンサは、サブラジエータの側部に設けられた流出側タンク内に収容されたり、或いは流出タンクの周面に取り付けられている（例えば、特許文献１〜３参照）。
【０００３】
この水冷コンデンサ及び空冷コンデンサは、水冷コンデンサを上流として冷凍サイクル内に直列に接続されている。そして、冷凍サイクルを循環する空調用冷媒は、まず、水冷コンデンサに流入し、その後、空冷コンデンサへ流出する。一方、サブラジエータで冷却された水冷用冷却水は、流出側タンク内を通過する際に水冷コンデンサ内を流れる空調用冷媒と熱交換し、その後、水冷チャージエアクーラに流入するようになっている。これにより、空冷コンデンサへ流入するまでの空調用冷媒を冷却できる。
【先行技術文献】
【特許文献】
【０００４】
【特許文献１】特許第４１７５９１８号
【特許文献２】特開２０１０−１２７５０８号公報
【特許文献３】特開２００５−３４３２２１号公報
【発明の概要】
【発明が解決しようとする課題】
【０００５】
しかしながら、上述した従来の複合型熱交換器では、水冷コンデンサがサブラジエータの流出側タンク内に収容されたり、或いは流出タンクの周面に取り付けられているため、サブラジエータの流出側タンクが大型化してしまったり、或いは流出側タンク近傍に大きなスペースを必要としてしまう。このため、エンジンルームの限られた容積の中で、サブラジエータの流出側タンクに設置される水冷コンデンサのために大きな設置スペースを確保せざるを得なく、エンジンルームの限られた容積の中でのレイアウト性が悪化してしまう。
【０００６】
そこで、本発明は、上述した課題を解決すべくなされたものであり、水冷コンデンサの設置スペースを小型化でき、エンジンルームの限られた容積の中でのレイアウト性が向上する複合型熱交換器の提供を目的とする。
【課題を解決するための手段】
【０００７】
上述した課題を解決するため、本発明は、次のような特徴を有している。まず、本発明の第１の特徴は、第１冷媒が通過する第１チューブと、前記第１チューブの端部に連結された第１流入側タンク及び第１流出側タンクとを有し、前記第１冷媒を冷却する第１熱交換器と、第２冷媒が通過する第２チューブと、前記第２チューブの端部に連結された第２流入側タンク及び第２流出側タンクとを有し、前記第２冷媒を冷却する第２熱交換機と、前記第１熱交換器で冷却された前記第１冷媒と、前記第２熱交換機で冷却される前の前記第２冷媒とを熱交換する第３熱交換器とを備えた複合型熱交換器であって、前記第３熱交換器は、前記第１流出側タンクと連通して前記第１冷媒が通過する管体によって形成され、前記管体は、前記第２流入側タンク内に設けられることを要旨とする。
【０００８】
その他の特徴として、前記管体は、前記第１冷媒が流入する冷媒流入部と、前記第１冷媒を流出する冷媒流出部と、前記冷媒流入部と前記冷媒流出部との間で折り返される折り返し部とを備え、前記冷媒流入部及び前記冷媒流出部は、前記第２チューブの積層方向の端部に設けられるものであってもよい。
【０００９】
その他の特徴として、前記第２流入側タンクは、前記第２冷媒が流入する第１通過室と前記第２冷媒が流出する第２通過室とを仕切るように構成され、且つ前記第１通過室と前記第２通過室とを連通する連通口が形成された仕切壁を備え、前記管体は、前記第１通過室に配置されるものであってもよい。
【００１０】
その他の特徴として、前記第１通過室には、前記第２冷媒が流入する流入部が設けられ、前記流入部(321A)は、前記第１通過室(321in)の一方の端部に設けられ、前記連通口(325A)は、前記第１通過室(321in)の他方の端部に設けられるものであってもよい。
【発明の効果】
【００１１】
本発明の特徴によれば、第３熱交換器としての管体が第２熱交換機の第２流入側タンク内に設けられることによって、第１熱交換器の第１流出側タンク内に第３熱交換器を設ける必要がなく、第１熱交換器の第１流出側タンクの小型化を実現できる。また、第１熱交換器の第１流出側タンクの周囲に第３熱交換器を取り付ける必要もないため、第３熱交換器の設置スペースを小型化できる。その上、第３熱交換器が管体により形成されることに伴い、第２熱交換機の第２流入側タンクを極力大型化させることなく、エンジンルームの限られた容積の中での複合型熱交換器のレイアウト性が向上する。
【図面の簡単な説明】
【００１２】
【図１】図１は、第１実施形態に係る複合型熱交換器を示す全体斜視図である。
【図２】図２は、第１実施形態に係る複合型熱交換器が適用される熱交換システムを示す構成図である。
【図３】図３は、第１実施形態に係る空冷コンデンサの流入出用タンク及び水冷コンデンサを示す斜視図である。
【図４】図４は、第１実施形態に係る空冷コンデンサの流入出用タンク及び水冷コンデンサを示す斜視図（一部断面図）である。
【図５】図５（ａ）は、図３のＦ５ａ−Ｆ５ａの断面図であり、図５（ｂ）は、図３のＦ５ｂ−Ｆ５ｂの断面図である。
【図６】図６は、第２実施形態に係る空冷コンデンサの流入出用タンク及び水冷コンデンサを示す斜視図である。
【図７】図７は、第２実施形態に係る空冷コンデンサの流入出用タンク及び水冷コンデンサを示す斜視図（一部断面図）である。
【図８】図８は、第３実施形態に係る空冷コンデンサの流入出用タンク及び水冷コンデンサを示す斜視図である。
【図９】図９は、第３実施形態に係る空冷コンデンサの流入出用タンク及び水冷コンデンサを示す斜視図（一部断面図）である。
【図１０】図１０は、図８のＦ１０−Ｆ１０の断面図である。
【図１１】図１１（ａ）は、図８のＦ１１ａ−Ｆ１１ａの断面図であり、図１１（ｂ）は、図８のＦ１１ｂ−Ｆ１１ｂの断面図である。
【図１２】図１２は、第３実施形態に係る空冷コンデンサの流入出用タンク及び水冷コンデンサの変更例を示す断面図（図８のＦ１０−Ｆ１０に相当）である。
【図１３】図１３は、第４実施形態に係る空冷コンデンサの流入出用タンク及び水冷コンデンサを示す斜視図である。
【図１４】図１４は、第４実施形態に係る空冷コンデンサの流入出用タンク及び水冷コンデンサを示す斜視図（一部断面図）である。
【図１５】図１５は、図１３のＦ１５−Ｆ１５の断面図である。
【図１６】図１６（ａ）は、図１３のＦ１６ａ−Ｆ１６ａの断面図であり、図１６（ｂ）は、図１３のＦ１６ｂ−Ｆ１６ｂの断面図である。
【発明を実施するための形態】
【００１３】
次に、本発明に係る複合型熱交換器の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００１４】
［第１実施形態］
（複合型熱交換器の構成）
まず、第１実施形態に係る複合型熱交換器１の構成について、図面を参照しながら説明する。図１は、第１実施形態に係る複合型熱交換器１を示す全体斜視図である。図２は、第１実施形態に係る複合型熱交換器１が適用される熱交換システムを示す構成図である。
【００１５】
図１及び図２に示すように、複合型熱交換器１は、メインラジエータ１０（図２参照）と、第１熱交換器としてのサブラジエータ２０と、第２熱交換機としての空冷コンデンサ３０と、第３熱交換器としての水冷コンデンサ４０とを備えている。
【００１６】
メインラジエータ１０は、エンジン２のエンジン用冷却水を冷却するものである。メインラジエータ１０は、図２に示すように、モータファン４の冷却風の上流側に設けられている。メインラジエータ１０は、その内部をエンジン用冷却水が流れる複数のチューブ（不図示）を有しており、このチューブの外側を流れる冷却風との間で熱交換している。エンジン用冷却水は、ポンプ５によって循環される（図２参照）。
【００１７】
サブラジエータ２０は、水冷チャージエアクーラ３（水冷ＣＡＣ）用の第１冷媒としての水冷用冷却水を冷却するものである。サブラジエータ２０は、図１及び図２に示すように、メインラジエータ１０の冷却風の上流面側で、且つ、空冷コンデンサ３０の上側に配置されている。サブラジエータ２０は、水冷用冷却水が通過してその外側を流れる冷却風との間で熱交換する複数のサブラジチューブ２１（第１チューブ）と、複数のサブラジチューブ２１の両端部にそれぞれ連結された流入側タンク２２（第１流入側タンク）及び流出側タンク２３（第１流出側タンク）とを有している。
【００１８】
流入側タンク２２は、サブラジチューブ２１の一方の端部に設けられて水冷用冷却水が流入する。流入側タンク２２には、水冷用冷却水が流入する流入部２２ｉｎが形成されている。
【００１９】
流出側タンク２３は、サブラジチューブ２１の他方の端部に設けられて水冷用冷却水が流出する。流出側タンク２３は、水冷用冷却水が流出する流出部（不図示）が形成されている。水冷用冷却水は、ポンプ６によって循環される（図２参照）。
【００２０】
空冷コンデンサ３０は、圧縮機（以下、コンプレッサ８（図２参照））から循環する第２冷媒としての空調用冷媒を冷却するものである。空冷コンデンサ３０は、図１及び図２に示すように、メインラジエータ１０の冷却風の上流面側で、且つ、サブラジエータ２０の下側に配置されている。空冷コンデンサ３０は、冷却風の流れと直交する方向に沿ってサブラジエータ２０とほぼ同一面上に配置されている。空冷コンデンサ３０は、空調用冷媒が通過してその外側を流れる冷却風との間で熱交換する空冷チューブ３１（第２チューブ）と、空冷チューブ３１の両端部にそれぞれ連結された流入出用タンク３２及びリターン用タンク３３とを有している。
【００２１】
流入出用タンク３２は、空冷チューブ３１の一方の端部に設けられて空調用冷媒が流入及び流出する。流入出用タンク３２の詳細については、後述する。
【００２２】
リターン用タンク３３は、空冷チューブ３１の他方の端部に設けられている。リターン用タンク３３の側部には、空調用冷媒が滞留するリキッドタンク３５が設けられている。リキッドタンク３５は、空冷チューブ３１（後述する上側分岐部屋３２１と連結された上側の空冷チューブ３１）に連結されたリターン用タンク３３の一部から流入された空調用冷媒を滞留している。リキッドタンク３５は、一時滞留した空調用冷媒を、空冷チューブ３１（後述する下側流出部屋３２２と連結された下側の空冷チューブ３１）に連結されたリターン用タンク３３の一部へ戻している。
【００２３】
水冷コンデンサ４０は、サブラジエータ２０で冷却された水冷用冷却水と、空冷コンデンサ３０で冷却される前の空調用冷媒との間で熱交換を行うものである。この水冷コンデンサ４０及び上述した空冷コンデンサ３０は、図２に示すように、水冷コンデンサ４０を上流として冷凍サイクル内に直列に接続されている。水冷コンデンサ４０の詳細については、後述する。
【００２４】
（空冷コンデンサの流入側タンクの構成）
次に、上述した空冷コンデンサ３０の流入出用タンク３２の構成について、図面を参照しながら説明する。図３及び図４は、第１実施形態に係る空冷コンデンサ３０の流入出用タンク３２及び水冷コンデンサ４０を示す斜視図である。図５（ａ）は、図３のＦ５ａ−Ｆ５ａの断面図であり、図５（ｂ）は、図３のＦ５ｂ−Ｆ５ｂの断面図である。
【００２５】
図３〜図５に示すように、流入出用タンク３２は、空冷チューブ３１の一方の端部に連結されている。流入出用タンク３２は、長手方向に対して２つの部屋に区画されている。具体的には、流入出用タンク３２は、上側に設けられた冷媒流入用の上側分岐部屋３２１（第２流入側タンク）と、下側に設けられた冷媒流出用の下側流出部屋３２２（第２流出側タンク）とによって構成され、これらの上側分岐部屋３２１と下側流出部屋３２２とが部屋区画板３２３によって区画されている。
【００２６】
上側分岐部屋３２１では、流入出用タンク３２の内部の空調用冷媒が複数の空冷チューブ３１に分岐する。上側分岐部屋３２１には、空冷コンデンサ３０で熱交換される前の空調用冷媒が流入する流入部３２１Ａが設けられている。この流入部３２１Ａには、空調用冷媒の流入用の配管３２１Ｂが接続されている（図１参照）。
【００２７】
一方、下側流出部屋３２２では、複数の空冷チューブ３１で熱交換された後の空調用冷媒が通過する。下側流出部屋３２２には、空冷コンデンサ３０で熱交換された後の空調用冷媒が流出する流出部３２２Ａが設けられている。この流出部３２２Ａには、空調用冷媒の流出用の配管３２２Ｂが接続されている。
【００２８】
（水冷コンデンサの構成）
次に、上述した水冷コンデンサ４０の構成について、空冷コンデンサ３０の流入出用タンク３２の説明で使用した図３〜図５を参照しながら説明する。
【００２９】
図３〜図５に示すように、水冷コンデンサ４０は、サブラジエータ２０の流出側タンク２３と連通してサブラジエータ２０で熱交換された水冷用冷却水が通過する管体４１によって形成されている。そして、この管体４１は、空冷コンデンサ３０の流入出用タンク３２における上側分岐部屋３２１内に設けられ、サブラジエータ２０で熱交換されて流出側タンク２３内を通過する水冷用冷却水が循環するようになっている。
【００３０】
具体的には、管体４１は、サブラジエータ２０の流出側タンク２３から水冷用冷却水が流入する冷媒流入部４１Ａと、水冷用冷却水をサブラジエータ２０の流出側タンク２３に流出する冷媒流出部４１Ｂと、冷媒流入部４１Ａと冷媒流出部４１Ｂとの間で折り返される折り返し部４１Ｃとを備えている。
【００３１】
冷媒流入部４１Ａ及び冷媒流出部４１Ｂは、空冷チューブ３１の積層方向の端部に設けられている。すなわち、冷媒流入部４１Ａ及び冷媒流出部４１Ｂは、空冷コンデンサ３０の流入出用タンク３２のサブラジエータ２０側（流出側タンク２３側）の上面に設けられている。折り返し部４１Ｃは、部屋区画板３２３側に近接して設けられている。
【００３２】
ここで、冷媒流入部４１Ａから折り返し部４１Ｃまでの管体４１を示す流入側領域４１ｉｎと、折り返し部４１Ｃから冷媒流出部４１Ｂまでの管体４１を示す流出側領域４１ｏｕｔとは、ほぼ直線状に形成されている。
【００３３】
（冷媒の流れ）
次に、上述した複合型熱交換器１での各冷媒（水冷用冷却水及び空調用冷媒）の流れについて、図２を参照しながら説明する。
【００３４】
図２に示すように、エンジン２に供給する空気（吸気）は、排気を利用してターボ部７で圧縮されて高温になる。このため、この高温の圧縮された空気（吸気）は、水冷チャージエアクーラ３によって冷却されている。これにより、エンジン２に供給される空気（吸気）の密度が向上されて、エンジン２の燃焼効率が向上する。
【００３５】
そして、水冷チャージエアクーラ３は、エンジン２に供給される空気（吸気）と冷却水との間で熱交換し、該エンジン２に供給される空気（吸気）を冷却している。水冷チャージエアクーラ３内の水冷用冷却水は、サブラジエータ２０内を通過する際、流入側タンク２２、サブラジチューブ２１、流出側タンク２３の順に通過して水冷チャージエアクーラ３に流れる。このとき、流出側タンク２３内の水冷用冷却水は、管体４１を循環することによって、空冷コンデンサ３０の流入出用タンク３２における上側分岐部屋３２１を通過している。
【００３６】
一方、冷凍サイクルの圧縮機（コンプレッサ）８によって高温高圧とされた空調用冷媒は、まず、空冷コンデンサ３０の流入出用タンク３２（上側分岐部屋３２１）を通過することで、管体４１内の水冷用冷却水と熱交換し、その後、空冷チューブ３１に流入する。そして、空冷チューブ３１へ流入した空調用冷媒は、上側分岐部屋３２１に連通した上側の空冷チューブ３１及びリキッドタンク３５を通過した後、下側流出部屋３２２に連通した下側の空冷チューブ３１を通過して、下側流出部屋３２２の流出部３２２Ａから流出する。
【００３７】
（作用・効果）
以上説明した第１実施形態では、水冷コンデンサ４０としての管体４１が空冷コンデンサ３０の流入出用タンク３２における上側分岐部屋３２１内に設けられることによって、サブラジエータ２０の流出側タンク２３内に水冷コンデンサ４０を設ける必要がなく、サブラジエータ２０の流出側タンク２３を実現できる。また、サブラジエータ２０の流出側タンク２３の周囲に水冷コンデンサ４０を取り付ける必要もないため、水冷コンデンサ４０の設置スペースを小型化できる。その上、水冷コンデンサ４０が管体４１により成されることに伴い、空冷コンデンサ３０の流入出用タンク３２を極力大型化させることなく、エンジンルームの限られた容積の中での複合型熱交換器１のレイアウト性が向上する。
【００３８】
第１実施形態では、水冷コンデンサ４０の管体４１がサブラジエータ２０の流出側タンク２３と連通することによって、サブラジエータ２０の流出側タンク２３を流れる水冷用冷却水を利用して、空冷コンデンサ３０の流入出用タンク３２内を流れる空調用冷媒を冷却できる。このため、空冷コンデンサ３０の流入出用タンク３２内を流れる空調用冷媒を冷却するための専用の冷媒を用いることなく、空調用冷媒を冷却できる。
【００３９】
第１実施形態では、冷媒流入部４１Ａ及び冷媒流出部４１Ｂが空冷コンデンサ３０の流入出用タンク３２の上面側に設けらることによって、サブラジエータ２０の流出側タンク２３と接続させ易くなる。
【００４０】
第１実施形態では、流入側領域４１ｉｎと流出側領域４１ｏｕｔとがほぼ直線状に形成されていることによって、管体４１の製造が容易となり、製造コストの低減に寄与する。
【００４１】
［第２実施形態］
次に、第２実施形態に係る空冷コンデンサ３０の流入出用タンク３２及び水冷コンデンサ４０について、図面を参照しながら説明する。図６及び図７は、第２実施形態に係る空冷コンデンサ３０の流入出用タンク３２及び水冷コンデンサ４０を示す斜視図である。なお、上述した第１実施形態に係る複合型熱交換器１と同一部分には同一の符号を付して、相違する部分を主として説明する。
【００４２】
第２実施形態では、空冷コンデンサ３０の流入出用タンク３２及び水冷コンデンサ４０の管体４１の形状が上述した第１実施形態で説明した形状と異なっている。
【００４３】
図６及び図７に示すように、空冷コンデンサ３０の流入出用タンク３２は、筒状に形成されている。また、流入側領域４１ｉｎは、螺旋状に形成されている。一方、流出側領域４１ｏｕｔは、ほぼ直線状に形成されており、螺旋状の流入側領域４１ｉｎの内部を通過している。
【００４４】
以上説明した第２実施形態では、流入側領域４１ｉｎが螺旋状に形成されることによって、流入側領域４１ｉｎが直線状に形成される場合と比較して、空冷コンデンサ３０の流入出用タンク３２内での水冷コンデンサ４０の管体４１内を流れる水冷用冷却水の水量や通過時間が増大する。このため、空冷コンデンサ３０の流入出用タンク３２内を流れる空調用冷媒と水冷コンデンサ４０の管体４１内を流れる水冷用冷却水との熱交換効率がより向上する。
【００４５】
［第３実施形態］
次に、第３実施形態に係る空冷コンデンサ３０の流入出用タンク３２について、図面を参照しながら説明する。図８及び図９は、第３実施形態に係る空冷コンデンサ３０の流入出用タンク３２及び水冷コンデンサ４０を示す斜視図である。図１０は、図８のＦ１０−Ｆ１０の断面図である。図１１（ａ）は、図８のＦ１１ａ−Ｆ１１ａの断面図であり、図１１（ｂ）は、図８のＦ１１ｂ−Ｆ１１ｂの断面図である。なお、上述した第１実施形態に係る複合型熱交換器１と同一部分には同一の符号を付して、相違する部分を主として説明する。
【００４６】
第３実施形態では、空冷コンデンサ３０の流入出用タンク３２の構成が上述した第１実施形態で説明した形状と異なっている。なお、水冷コンデンサ４０の構成については、上述した第１実施形態と同様であるものとして説明するが、上述した第２実施形態と同様であってもよいことは勿論である。
【００４７】
図８〜図１１に示すように、流入出用タンク３２の上側分岐部屋３２１には、空調用冷媒が流入する第１通過室３２１ｉｎと空調用冷媒が空冷チューブ３１に流出する第２通過室３２１ｏｕｔとを仕切るように構成された仕切壁３２５が設けられている。
【００４８】
第１通過室３２１ｉｎには、水冷コンデンサ４０の管体４１が配置されている。第２通過室３２１ｏｕｔは、第１通過室３２１ｉｎを通過した空調用冷媒が通過して複数の空冷チューブ３１に分岐させている。
【００４９】
仕切壁３２５には、第１通過室３２１ｉｎと第２通過室３２１ｏｕｔとを連通する１つの連通口３２５Ａが形成されている。この連通口３２５Ａ及び上述した上側分岐部屋３２１に設けられた流入部３２１Ａは、互いに離間した位置に設けられている（図９及び図１０参照）。具体的には、連通口３２５Ａは、上側分岐部屋３２１の下側（すなわち、部屋区画板３２３側）に設けられている。流入部３２１Ａは、上側分岐部屋３２１の上側（すなわち、サブラジエータ２０側）に設けられている。
【００５０】
以上説明した第３実施形態では、水冷コンデンサ４０の管体４１が第１通過室３２１ｉｎに配置されていることによって、流入部３２１Ａから空冷コンデンサ３０の流入出用タンク３２内に流入した空調用冷媒を即座に冷却できる。
【００５１】
特に、流入部３２１Ａと連通口３２５Ａとが互いに離間した位置に設けられていることによって、水冷コンデンサ４０の管体４１内を流れる水冷用冷却水と、空冷コンデンサ３０の流入出用タンク３２内を流れる空調用冷媒との熱交換時間が増大する。このため、空冷コンデンサ３０の流入出用タンク３２内を流れる空調用冷媒と水冷コンデンサ４０の管体４１内を流れる水冷用冷却水との熱交換効率がより向上する。
【００５２】
ここで、第３実施形態では、連通口３２５Ａは、仕切壁３２５に１つ設けられているものとして説明したが、これに限定されるものではなく、例えば、図１２に示すように、仕切壁３２５に複数（図面では３つ）設けられていてもよい。この場合、各連通口３２５Ａは、等間隔で配置されることが好ましい。これにより、流入出用タンク３２を流れる空調用冷媒を複数の空冷チューブ３１に分岐させ易くなる。
【００５３】
［第４実施形態］
次に、第４実施形態に係る空冷コンデンサ３０の流入出用タンク３２について、図面を参照しながら説明する。図１３及び図１４は、第４実施形態に係る空冷コンデンサ３０の流入出用タンク３２及び水冷コンデンサ４０を示す斜視図である。図１５は、図１３のＦ１５−Ｆ１５の断面図である。図１６（ａ）は、図１３のＦ１６ａ−Ｆ１６ａの断面図であり、図１６（ｂ）は、図１３のＦ１６ｂ−Ｆ１６ｂの断面図である。なお、上述した第１実施形態に係る複合型熱交換器１と同一部分には同一の符号を付して、相違する部分を主として説明する。
【００５４】
第４実施形態では、上述した第３実施形態と同様に、空冷コンデンサ３０の流入出用タンク３２の構成が上述した第１実施形態で説明した形状と異なっている。なお、水冷コンデンサ４０の構成については、上述した第１実施形態と同様であるものとして説明するが、上述した第２実施形態と同様であってもよいことは勿論である。
【００５５】
図１２〜図１６に示すように、流入出用タンク３２の上側分岐部屋３２１には、第１通過室３２１ｉｎと第２通過室３２１ｏｕｔとを仕切るように構成された仕切壁３２５が設けられている。
【００５６】
水冷コンデンサ４０の管体４１は、第２通過室３２１ｏｕｔに設けられている。仕切壁３２５には、第１通過室３２１ｉｎと第２通過室３２１ｏｕｔとを連通する複数（図面では３つ）の連通口３２５Ａが形成されている。各連通口３２５Ａは、等間隔で配置されることが好ましい。
【００５７】
以上説明した第４実施形態では、水冷コンデンサ４０の管体４１が第２通過室３２１ｏｕｔに配置されていることによって、第１通過室３２１ｉｎを通過した空調用冷媒を複数の空冷チューブ３１に分岐させる寸前で冷却できる。
【００５８】
特に、連通口３２５Ａが仕切壁３２５に複数（図面では３つ）設けられていることによって、水冷コンデンサ４０の管体４１内を流れる水冷用冷却水と、空冷コンデンサ３０の流入出用タンク３２内を流れる空調用冷媒との熱交換領域に片寄りが生じ難くなる。
【００５９】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００６０】
例えば、本発明の実施形態は、次のように変更することができる。具体的には、空冷コンデンサ３０及びサブラジエータ２０は、冷却風の流れと直交する方向に沿ってほぼ同一面上に配置されるものとして説明したが、これに限定されるものではなく、多少ずれた位置に配置されていてもよい。
【００６１】
また、空冷コンデンサ３０がサブラジエータ２０の下側に配置されるものとして説明したが、これに限定されるものではなく、空冷コンデンサ３０がサブラジエータ２０の上側に配置されるものであってもよい。
【００６２】
このように、本発明は、各実施形態の一部の構成を組み合わせてもよく、その上、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００６３】
１…複合型熱交換器
１０…メインラジエータ
２０…サブラジエータ（第１熱交換器）
２３…流出側タンク（第１タンク）
３０…空冷コンデンサ（第２熱交換機）
３１…空冷チューブ（第２チューブ）
３２…流入出用タンク（第２タンク）
３２１…上側分岐部屋
３２１Ａ…流入部
３２１ｉｎ…第１通過室
３２１ｏｕｔ…第２通過室
３２５…仕切壁
３２５Ａ…連通口
４０…水冷コンデンサ（第３熱交換器）
４１…管体
４１Ａ…冷媒流入部
４１Ｂ…冷媒流出部
４１Ｃ…折り返し部
【図１】
2014126315.tif 000003
【図２】
2014126315.tif 000004
【図３】
2014126315.tif 000005
【図４】
2014126315.tif 000006
【図５】
2014126315.tif 000007
【図６】
2014126315.tif 000008
【図７】
2014126315.tif 000009
【図８】
2014126315.tif 000010
【図９】
2014126315.tif 000011
【図１０】
2014126315.tif 000012
【図１１】
2014126315.tif 000013
【図１２】
2014126315.tif 000014
【図１３】
2014126315.tif 000015
【図１４】
2014126315.tif 000016
【図１５】
2014126315.tif 000017
【図１６】
2014126315.tif 000018